(57)【特許請求の範囲】
【請求項１】
接着層により内外層を接着した積層ブロー容器において、
内外層の非接着部分に、外層との間に内層が内側に膨出した空気室を設け、
外層に前記空気室と大気を連通する連通孔を設けたことを特徴とする積層ブロー容器。
【請求項２】
接着層により内外層を接着した積層ブロー容器の成形方法において、
内外層とともに接着層をその円周の一部を欠除した状態で共押出して積層パリソンとし、該積層パリソンを金型に挟持してブロー成形し、
容器成形後に内外層の非接着部分の外層に連通孔を穿孔し、該連通孔より空気を吹き込んで内層を剥離、膨出させて、内層が内側に膨出した空気室を形成するようにしたことを特徴とする積層ブロー容器の成形方法。
【発明の詳細な説明】
【０００１】
【発明の属する技術分野】
本発明は、積層ブロー容器に関する。
【０００２】
【従来の技術】
漂白剤、洗剤、化粧料、食料品など日常生活に係わる様々なものを収容するブロー容器として、単層ブロー容器、ガスバリヤ性を有する積層ブロー容器は従来より慣用されている。
【０００３】
【発明が解決しようとする課題】
内容物のなかで、塩素系漂白剤は、次亜塩素酸ナトリウムが含まれており、紫外線を吸収してガスが発生する。
また、食料品においても、長期に収容している場合には、内容物が変質しガスが発生することもある。
また、内容物の如何を問わず使用時の容器は、必ずしも一定温度の場所に置かれるわけでもないから、容器内の空気、内容物が温度変化により膨張、収縮して、内圧が変化することもある。
【０００４】
しかしながら、従来のブロー容器では、ガスの発生や、温度上昇による膨張により容器内の圧力が高まる時には、樹脂材料に掛かる応力が大きくなるので、抗張力の強い材料を用いたり、材料の肉厚を厚くする必要があった。
また、内圧の増加に応じて容器の形状が変形し、特に容器の断面形状が楕円形または角形の場合には、外観形状が変形するという問題があった。
本発明は、上記の問題点を解決することを技術的課題として、新規な積層ブロー容器を提供することを目的とする。
【０００５】
【課題を解決するための手段】
本発明は、上記の技術的課題は、積層ブロー容器において、内外層の間に大気と連通する空気室を設け、内圧の変化を空気室の容積の変化によって吸収することによって達成される。
具体的には、接着層により内外層の大部分を接着した積層ブロー容器において、内外層の非接着部分に、外層との間に内層が内側に膨出した空気室を設け、外層に前記空気室と大気を連通する連通孔を設けたことを特徴とする積層ブロー容器を採用する。
【０００６】
積層ブロー容器の成形方法として、接着層により内外層を接着した積層ブロー容器の成形方法において、内外層とともに接着層をその円周の一部を欠除した状態で共押出して積層パリソンとし、該積層パリソンを金型に挟持してブロー成形し、容器成形後に内外層の非接着部分の外層に連通孔を穿孔し、該連通孔より空気を吹き込んで内層を剥離、膨出させて、内層が内側に膨出した空気室を形成するようにしたことを特徴とする積層ブロー容器の成形方法を採用する。
【０００７】
【発明の実施の形態】
次に、本発明に係わる積層容器について、図１〜３を参照して説明する。
図において、１は、積層容器の外層であり、２は内層である。
３は接着層で、容器円周の一部には接着層がない非接着部分３ａが帯状に配置されている。
４は容器胴部、５は容器肩部、６は容器口部である。
【０００８】
積層容器の外層１の樹脂材料として、高密度ポリエチレン、低密度ポリエチレン、ポリプロピレン、ＰＥＴなどが用いられる。
内層２の樹脂材料として、外層１と同種の樹脂、または必要に応じてナイロン、ＥＶＯＨ等のガスバリヤ性のある樹脂が用いられる。
接着層３にはアドマー（商品名）が用いられる。
【０００９】
積層容器は、食料品収納用の軟質のいわゆるスクイズボトルであってもよい。
また、外層、内層は、一層に限らず多層構造になっていてもよい。
さらに、３層以上の多層であっても、最外側の層と次に積層される内層の間の接着層、或いは所定の接着層に、部分的に非接着部分を設けた接着層を配設されておればよい。
【００１０】
７は、非接着部分３ａの容器口部６の外層１に穿孔された連通孔である。
８は、デラミ空気の吹き込みによって剥離された外層１と内層２の間に形成される空気室である。
９は、剥離された内層２ａによって形成される膨出部であり、前記空気室８は、外層１と剥離された内層２ａの膨出部９によって形成されたものである。
積層が多層になっている場合には、部分的に非接着部分を設けた接着層までの外側の層に連通孔を設け、デラミ空気の吹き込みによって内層２を剥離膨出させ、空気室８が形成される。
【００１１】
連通孔７は、空気室８を大気に連通させ、容器内の内圧の変化に対応して空気室８内の空気を排出、導入するので、内圧の変化は、空気室８の容積の変化で吸収され、ブロー容器の外観形状が維持されるという作用効果がもたらされる。
１０は、合成樹脂製のキャップである。
【００１２】
次に、本発明積層容器の成形方法について説明する。
外層１、接着層３、内層２のそれぞれの樹脂材料は、３層共押出しブロー成形機により積層パリソンとして押出しされる。
その際、接着層の円周の一部は押出されないようにし、容器口部上端に対応する位置になったときに始めて全周にわたって押出すようにする。
【００１３】
容器口部上端部に全周にわたって接着層を設けることは、後述する後加工で、デラミ空気の吹き込みに当たって口部上端部より空気が抜けないようにするためであるが、接着層を口部上端部のみ全周に押出すようにすることは、押出し機の調整が簡易ではないので、接着層を最後までその円周の一部を欠除させたまま押出し、非接着部分を容器口部頂面まで形成されるようにしてもよい。
内外層が多層の場合には、所定の接着層の円周の一部を欠除するよう押出すようにすることは云うまでもない。
【００１４】
押出された積層パリソンは、ブロー金型に挟持され、吹き込みマンドレルから空気が吹き込まれて積層ブロー容器として成形される。
【００１５】
容器の成形後、容器口部６の非接着部分３ａの外層１に連通孔７が形成され、該連通孔７より非接着部分３ａの内外層の間にデラミ空気が吹き込まれ、内層２ａが剥離膨出され、接合部分の端縁を軸線として反転し、空気室８が形成される。
連通孔７の形成は、本出願人の出願に係る特願平７−８８５５８号（特開平８−２４４１０２号公報）記載の方法、すなわち、容器口部６に受け部材を挿入して口部内周に受け台を当接させ、容器口部６外側より内層２の厚さを残して孔あけ用のポンチカッターを打ち込んで孔あけを行うが、その他適宜の方法を採用してもよい。
【００１６】
次いで、連通孔７に空気吹き込みノズルを挿入し、ノズル孔より空気を吹き込むことによって、非接着部分３ａにおける内層２ａを剥離、膨出させて空気室８を形成させる。
容器口部６上端部に全周にわたって接着層３を設けたときには、吹き込みに当たって口部上端部より空気が抜けないから、全体の剥離を容易にできる。
非接着部分３ａが容器口部６頂面まで形成されている場合には、空気吹き込み時に容器口部内周に中栓を嵌着して、吹込み空気の抜けを防止し、内層２を剥離させる。
【００１７】
内容液を充填した場合には、内層２ａには一定の保形性があるので、膨出部９の形状は略そのまま維持され、容器口部６にキャップ１０を被嵌した時には、容器内が密封されるので、空気室８から大気中に空気は流出されず、容器はそのままの形態が維持される。
【００１８】
【発明の効果】
本発明は、上記のように構成されているから、次の効果を奏する。
内容液が塩素系の漂白剤の場合、漂白剤には次亜塩素酸ナトリウムが含まれており、紫外線を吸収してガスが発生するが、内圧が増加しても空気室８内部の空気が大気連通孔から排出され、外観形状は変わらない。
内容物が食料品の場合でも、長期にわたって収容していると、内容物の変化によりガスが発生し、内圧が増加することがあるが、上記の場合と同様外観形状は変化しない。
また、内容物と容器内の空気が温度変化により膨張収縮を繰り返す場合にも、空気室の容積が対応して変化するだけで、容器を構成する樹脂材料に掛かる応力には変化はない。
【００１９】
本発明では、内外層の一部に空気室を設け、容器に設けた連通孔を介して大気と連通するようにしたから、内容物の膨張収縮、ガスの発生による内圧の変化に対応して空気室の容積が変化するから、内圧が変化しても容器の外観形状は変わらないようになった。
また、樹脂材料に抗張力の高い材料を使用する必要もなく、容器の肉厚も薄くすることができるので、樹脂材料が節約できる。
【図面の簡単な説明】
【図１】発明の積層ブロー容器の斜視図である。
【図２】図３ＡーＡ線を断面で示した積層ブロー容器の平面図である。
【図３】一部を断面で示した積層ブロー容器の正面図である。
【符号の説明】
１    外層
２    内層
３    接着層
４    容器胴部
５    容器肩部
６    容器口部
７    連通孔
８    空気室
９    膨出部
１０    キャップ
【図１】
0003556344.tif 000002
【図２】
0003556344.tif 000003
【図３】
0003556344.tif 000004